(57)【要約】      （修正有）【課題】使いやすい指示機能付きリモコンおよび子供用物語投影機システムを提供する。【解決手段】指示機能付きリモコンは、電気機器に制御指令を送信するリモコン１００を含む。リモコン１００の内部には、光点指示装置が備えられている。光点指示装置は、リモコン１００の機能ボタンの中の１つにより起動される。光点指示装置は、ビーム光を放出し、遠方に指示光点を形成して、遠方の画像や物品を指示する。リモコン機能に加えて指示機能も備えており、対話に役立てることができ、完璧な機能と使いやすさとを備えている。【選択図】図８
0003232684.tif 000002
【実用新案登録請求の範囲】
【請求項１】
電気機器に制御指令を送信するリモコン（１００）を含む、指示機能付きリモコンであって、
リモコン（１００）の内部に光点指示装置（３００）が備えられ、
光点指示装置（３００）は、リモコン（１００）の機能ボタン（４）の中の１つによって起動され、
光点指示装置（３００）は、ビーム光を放出して遠方に指示光点を形成し、遠方の画像や物品を指示する、
ことを特徴とする、指示機能付きリモコン。
【請求項２】
光点指示装置（３００）は、
ＬＥＤ（５）、絞り（６）およびレンズ（７）を有し、
ＬＥＤ（５）が発する光を絞り（６）とレンズ（７）とで処理し、遠方に指示光点を形成する、
ことを特徴とする、請求項１に記載の指示機能付きリモコン。
【請求項３】
ＬＥＤ（５）と、絞り（６）と、レンズ（７）とが、順にレンズバレル（８）内に設けられて一つの部材を形成している、
ことを特徴とする、請求項２に記載の指示機能付きリモコン。
【請求項４】
リモコン（１００）は、ハウジング（１）と、ハウジング（１）の内部に設けられた制御回路基板（２）と、電池（３）とを備え、
電池（３）は制御回路基板（２）に電力を供給し、
ハウジング（１）の表面に複数の機能ボタン（４）が設けられている、
ことを特徴とする、請求項２又は３に記載の指示機能付きリモコン。
【請求項５】
ハウジング（１）には第１の切欠部（１１）が形成され、
第１の切欠部（１１）には光を透過するＬＥＤ透明窓（９）が設けられており、
ＬＥＤ透明窓（９）の背面にはレンズバレル（８）が配置され、
ＬＥＤ（５）が発した光を、絞り（６）、レンズ（７）およびＬＥＤ透明窓（９）を介して放出し、遠方に光点を形成する、
ことを特徴とする、請求項４に記載の指示機能付きリモコン。
【請求項６】
レンズ（７）は、プレスリング（１０）を介してレンズバレル（８）内に設けられている、
ことを特徴とする、請求項５に記載の指示機能付きリモコン。
【請求項７】
ハウジング（１）にはさらに第２の切欠部（１２）が形成され、
第２の切欠部（１２）もまた、ＬＥＤ透明窓（９）によって覆われており、
第２の切欠部（１２）は、第１の切欠部（１１）の近傍に位置している、
ことを特徴とする、請求項４に記載の指示機能付きリモコン。
【請求項８】
ハウジング（１）は、表面ハウジング（１ａ）と底部ハウジング（１ｂ）とを有し、表面ハウジング（１ａ）に複数の機能ボタン（４）が設けられている、
ことを特徴とする、請求項７に記載の指示機能付きリモコン。
【請求項９】
底部ハウジング（１ｂ）には電池ボックス（１３）が設置され、
電池ボックス（１３）には正極板（１４）と負極板（１５）とが設けられ、
電池（３）は電池ボックス（１３）内に配置され、
底部ハウジング（１ｂ）の底面には電池扉（１６）が設けられており、
電池扉（１６）が電池ボックス（１３）を密閉する、
ことを特徴とする、請求項８に記載の指示機能付きリモコン。
【請求項１０】
物語投影機（２００）と指示機能付きリモコンとを備え、
指示機能付きリモコンは、物語投影機（２００）を制御する制御信号を送信するものである子供用物語投影機システムであって、
指示機能付きリモコンは、請求項１乃至９のいずれか１項に記載の指示機能付きリモコンであることを特徴とする、子供用物語投影機システム。
【考案の詳細な説明】
【技術分野】
【０００１】
本考案は、指示機能付きリモコンおよび子供用物語投影機システムに関する。
【背景技術】
【０００２】
従来、市販されている子供用物語投影機システムには、投影機本体とリモコンとがあり、投影機本体は子供用物語の映像をスクリーンや壁に投影して子供たちが見て学ぶもので、リモコンは投影機本体の各種の操作を行うためものである。
【０００３】
しかし、従来のリモコンにはリモコン機能しかなく、指示機能を有していない。スクリーンや壁に子供用物語の映像を映し出すとき、親や先生が子供用物語の映像を示して子どもたちに説明する必要があるが、現在のリモコンにはこの機能がなく、使い勝手が悪い。
【０００４】
また、市販されている個々の指示器は構造が複雑でコストが高くなる。
【考案の概要】
【考案が解決しようとする課題】
【０００５】
本考案の主な目的は、指示機能付きのリモコンおよび子供用物語投影機システムを提供して、先行技術における、リモコンがリモコン機能のみを有し指示機能を持たず、機能が単一で使い勝手が悪いという技術的な問題を解決することである。
【課題を解決するための手段】
【０００６】
本考案の技術的な解決策は、以下のように実現されている。
【０００７】
電気機器に制御指令を送信するためのリモコンを含む指示機能付きリモコンであって、リモコンの内部に光点指示装置が備えられ、光点指示装置はリモコンの機能ボタンの中の１つによって起動され、光点指示装置はビーム光を放出して遠方に指示光点を形成し、遠方の画像や物品を指示することを特徴とする指示機能付きリモコン。
【０００８】
上述の光点指示装置は、ＬＥＤ、絞りおよびレンズを有し、ＬＥＤが発する光を絞りとレンズとで処理し、遠方に指示光点を形成する。
【０００９】
上述のＬＥＤと、絞りと、レンズとがレンズバレル内に順に設けられて一つの部材を形成している。
【００１０】
上述のリモコンは、ハウジングと、ハウジングの内部に設けられた制御回路基板と、電池とを備え、電池は制御回路基板に電力を供給し、ハウジングの表面に複数の機能ボタンが設けられている。
【００１１】
上述のハウジングには第１の切欠部が形成され、第１の切欠部には光を透過するＬＥＤ透明窓が設設けられており、ＬＥＤ透明窓の背面にはレンズバレルが配置され、ＬＥＤが発した光を、絞り、レンズおよびＬＥＤ透明窓を介して放出し、遠方に光点を形成する。
【００１２】
上述のレンズはプレスリングを介してレンズバレル内に設けられている。
【００１３】
上述のハウジングにはさらに第２の切欠部が形成され、第２の切欠部もまたＬＥＤ透明窓によって覆われており、第２の切欠部は、第１の切欠部の近傍に位置している。
【００１４】
上述のハウジングは表面ハウジングと底部ハウジングとを有し、表面ハウジングに複数の機能ボタンが設けられている。
【００１５】
上述の底部ハウジングには電池ボックスが設置され、電池ボックスには正極板と負極板とが設けられ、電池は電池ボックス内に配置され、底部ハウジングの底面には電池扉が設けられており、電池扉が電池ボックスを密閉する。
【００１６】
物語投影機と指示機能付きリモコンとを備え、指示機能付きリモコンは、物語投影機を制御する制御信号を送信するものである子供用物語投影機システムであって、指示機能付きリモコンは、上述の指示機能付きリモコンであることを特徴とする子供用物語投影機システム。
【考案の効果】
【００１７】
本考案は、先行技術と比較して以下のような利点がある。
【００１８】
１．本考案の指示機能付きリモコンは、電気機器に制御指令を送信するリモコンを含み、リモコンの内部に光点指示装置が備えられ、光点指示装置はリモコンの機能ボタンの中の１つによって起動され、光点指示装置は、ビーム光を放出して遠方に指示光点を形成し、遠方の画像や物品を指示することを特徴とする。リモコン機能に加えて指示機能も備えており、対話に役立てることができ、完璧な機能と使いやすさとを備えている。
【００１９】
２．本考案のその他の利点については、明細書の実施例の欄で詳細に説明している。
【図面の簡単な説明】
【００２０】
【図１】本考案に係る実施例１の立体図である。
【図２】本考案に係る実施例１の正面図である。
【図３】本考案に係る実施例１の平面図である。
【図４】図３のＡ−Ａ断面図である。
【図５】本考案に係る光点指示装置の構造を示す断面図である。
【図６】本考案に係る光点指示装置の光学原理図である。
【図７】本考案に係る実施例１の分解図である。
【図８】本考案に係る実施例２の立体図である。
【図９】本考案に係る実施例２の使用状態を示す参考図である。
【考案を実施するための形態】
【００２１】
以下、本考案を添付の図面および具体的な実施例と併せてさらに説明する：
【実施例１】
【００２２】
図１〜図７に示すように、指示機能付きリモコンは、電気機器に制御指令を送信するリモコン１００を含み、リモコン１００に光点指示装置３００が備えられ、リモコン１００に設けられた機能ボタン４の中の１つによって光点指示装置３００が起動され、光点指示装置３００がビーム光を放出して遠方に指示光点を形成し、遠方の画像や物品を指示することを特徴とする。
【００２３】
リモコン１００は、ハウジング１と、ハウジング１の内部に設けられた制御回路基板２と、電池３とを備え、電池３は制御回路基板２に電力を供給し、ハウジング１の表面には機能ボタン４が設けられている。その特徴は以下のとおりである。：
ハウジング１の内部にはさらに光点指示装置が設けられており、光点指示装置は、ＬＥＤ５、絞り６、レンズ７およびレンズバレル８を有し、ＬＥＤ５は絞り６の背面に位置し、絞り６とレンズ７とはレンズバレル８に順に設けられて一つの部材を形成している。ＬＥＤ５は制御回路基板２に電気的に接続されている。ＬＥＤ５が発した光を、絞り６とレンズ７とを介して放出して光点を形成し、光点を利用して指示をすることができる。リモコン機能に加えて指示機能を有し、完璧な機能と使いやすさとを備えている。さらに構造がシンプルでコンパクトであり、コストパフォーマンスに優れている。
【００２４】
上述したハウジング１には第１の切欠部１１が形成され、第１の切欠部１１に光を透過するＬＥＤ透明窓９が設けられており、ＬＥＤ透明窓９の背面にはレンズバレル８が配置され、ＬＥＤ５が発した光を、絞り６、レンズ７、ＬＥＤ透明窓９を介して放出して光点を形成する。ＬＥＤ透明窓は、レンズバレル８を効果的に保護することができる。
【００２５】
上述のレンズ７は、レンズバレル８の内部にプレスリング１０を介して設けられており、構造がシンプルである。
【００２６】
また、上述のハウジング１にはさらに第２切欠部１２も形成されており、第２切欠部１２もまたＬＥＤ透明窓９によって覆われている。第２の切欠部１２は第１の切欠部１１の近傍に位置し、合理的な構造となっている。
【００２７】
ハウジング１は表面ハウジング１ａと底部ハウジング１ｂとを有し、機能ボタン４は表面ハウジング１ａに設けられている。
【００２８】
上述の底部ハウジング１ｂには、正極板１４と負極板１５とが設けられた電池ボックス１３が設置されている。電池３は電池ボックス１３の中に配置され、電池扉１６は底部ハウジング１ｂの底面に設けられている。
【実施例２】
【００２９】
図８に示すように、子供用物語投影機システムは、物語投影機２００と指示機能付きリモコンとを備える。指示機能付きリモコンは、物語投影機２００を制御する制御信号を送信し、投影面上で物語の映像を放映する。その特徴として、：指示機能付きリモコンとは、実施例１で説明した指示機能付きリモコンのことである。
【００３０】
動作時には、物語投影機２００は、子供用物語の映像を投影スクリーンや壁に投影する。ユーザが指示機能付きリモコン１００を手に取り、対応する機能ボタン４を押すと、光点指示装置が動作を開始する。ＬＥＤ５が発した光を絞り６とレンズ７とで処理し、遠方の投影面に指示光点を形成し、指示光点を利用して子供用物語の映像を指示することができる。リモコン機能を有しているだけではなく、指示機能も有し、完璧な機能と使いやすさとを備えている。また、構造がシンプルでコンパクトであり、コストパフォーマンスに優れている。
【００３１】
指示機能付きリモコン１００は、リモコン機能を有しているだけではなく、指示機能も有し、完璧な機能と使いやすさとを備えている。また、構造がシンプルでコンパクトであり、コストパフォーマンスに優れている。
【００３２】
図９に示すように、図中で本実施例の使用状態を示すことができる。図中では、母親と子供がベッドに横たわり、枕元の物語投影機が天井に向かって投影し、子供用物語の画像が放映されている。子供がリモコンを手に持ち、リモコンを操作して物語投影機を操作し、リモコンの機能ボタンの中の１つを押して光点指示装置を起動させ、光点指示装置が赤色のビーム光を放出して遠方に光点を形成し、天井に放映される子供用物語の画像を指示することができ、母親と子供との対話の役に立つ。
【００３３】
以上の実施例は本発明の好ましい実施例であるが、本発明の実施例はこれに限定されるものではない。本発明の精神的本質および原理から逸脱しない範囲で行われた他の変更、修正、置換、組み合わせ、簡略化は、同等の置換方法であり、いずれも本発明の保護範囲に含まれる。
【図１】
0003232684.tif 000003
【図２】
0003232684.tif 000004
【図３】
0003232684.tif 000005
【図４】
0003232684.tif 000006
【図５】
0003232684.tif 000007
【図６】
0003232684.tif 000008
【図７】
0003232684.tif 000009
【図８】
0003232684.tif 000010
【図９】
0003232684.tif 000011